(57)【要約】【課題】植物生育作業を自動化でき、有効な栽培面積を増し、全体的にシンプルで、植物の生産性を向上できる植物栽培装置を提供する。【解決手段】多段の植物栽培棚の各段を水平移動可能な複数のパレットで構成し、パレット単位で順次に循環移動させる植物栽培装置であって、各段の複数のパレットを順次に水平方向に搬送するレール部を複数段備えた搬送部と、前記搬送部の両端部に配設され、前記パレットを昇降させる昇降機構と該パレットを水平方向に引き出し／押し出しする機構とを備え、パレットを上下段で移動させ、かつ各段の位置にてパレットを対応するレール部に出入する第１，第２の駆動部と、搬送部の複数段のレール部の下段側の少なくとも１つの段のレール部に配置される複数のパレット内の種子の発芽期間は、該パレットが配置された下段側の少なくとも１つの段の内部空間を外部と遮断するための遮光手段と、を具備する。【選択図】図１
2015037383.tif 000002
【特許請求の範囲】
【請求項１】
多段の植物栽培棚の各段を水平移動可能な複数のパレットの連続的な配列で構成し、パレット単位で順次に循環移動させる植物栽培装置であって、
各段の前記複数のパレットを順次にパレット単位で水平方向に搬送する各段のレール部を複数段備えた搬送部と、
前記搬送部の両端部それぞれに配設され、前記パレットを昇降させる昇降機構と該パレットを水平方向に引き出しまたは押し出しする引き出し／押し出し機構とを備え、前記パレットを上下の各段間で移動させ、かつ各段の位置にて該パレットを対応する各段の前記レール部に対して出し入れする第１及び第２の駆動部と、
前記搬送部を構成する複数段のレール部のうちの下段側の少なくとも１つのレール部に配置される前記複数のパレットに積み込む植物栽培容器内に播いた種子を発芽させるのに必要な所定期間においては、前記植物栽培容器が配置された前記下段側の少なくとも１つの段の内部空間を外部と遮断するための遮光手段と、を具備し、
前記下段側の少なくとも１つの段の遮光された内部空間内で、前記植物栽培容器内に播いた種子を発芽させるのに必要な前記所定期間を経過させ、その後は、前記第１及び第２の駆動部を動作させて前記植物栽培容器を収容したパレットを光の当たる上段側の少なくとも１つの段に移動可能に構成したことを特徴とする植物栽培装置。
【請求項２】
前記搬送部を構成する複数段のレール部の少なくとも１つのレール部の上方側に、搬送する前記パレット内の植物に栽培養液を散布するための散水機構を備えたことを特徴とする請求項１に記載の植物栽培装置。
【請求項３】
前記搬送部を構成する複数段のレール部の少なくとも１つのレール部の上方側に、搬送する前記パレット内の植物を殺菌消毒するための紫外線照射部を備えたことを特徴とする請求項１に記載の植物栽培装置。
【請求項４】
多段の植物栽培棚における上段部と下段部それぞれに、植物の種子や苗を育成するための少なくとも１つの植物栽培容器を収容したパレットを所定数ずつ、水平方向の一進行方向に一列状に並べて配設し、かつ前記上段部及び下段部の各段部に一列状に配設した前記所定数のパレットを前記上段部及び前記下段部間でパレット単位で循環移動させるように構成した植物栽培装置であって、
前記少なくとも１つの植物栽培容器を収容可能で、かつ左右両側に移動用の車輪を備えた前記所定数のパレットを水平方向の一進行方向に順次に連続的に移動可能とする下段側搬送路としての第１のレール部と、
前記所定数のパレットを前記水平方向の一進行方向とは反対の進行方向に順次に連続的に移動可能とする上段側搬送路としての第２のレール部と、
前記下段部の前記第１のレール部の進行方向の終端部と前記上段部の前記第２のレール部の進行方向の始端部との間で前記パレットを搬送可能に設けられ、前記パレットを収容して前記上下段部間を昇降移動させる動作を行うと共に前記上下段部の各段部の位置にて前記パレットを引き出しまたは押し出しする動作を行う第１の駆動台を備えた第１の駆動部と、
前記上段部の前記第２のレール部の進行方向の終端部と前記下段部の前記第１のレール部の進行方向の始端部との間で前記パレットを搬送可能に設けられ、前記パレットを収容して前記上下段部間を昇降移動させる動作を行うと共に前記上下段部の各段部の位置にて前記パレットを引き出しまたは押し出しする動作を行う第２の駆動台を備えた第２の駆動部と、
前記搬送部を構成する上下段のレール部のうちの下段側の前記第１のレール部に配置される前記所定数のパレットに積み込む植物栽培容器内に播いた種子を発芽させるのに必要な所定期間においては、前記植物栽培容器が配置された前記下段側の内部空間を外部と遮断するための遮光手段と、を具備し、
前記下段側の遮光された内部空間内で、前記植物栽培容器内に播いた種子を発芽させるのに必要な前記所定期間を経過させ、その後は、前記第１及び第２の駆動部を動作させて前記植物栽培容器を収容したパレットを光の当たる上段側に移動可能に構成したことを特徴とする植物栽培装置。
【請求項５】
前記第１の駆動部における昇降動作及び引き出し／押し出し動作と、前記第２の駆動部における昇降動作及び引き出し／押し出し動作とのタイミングを制御する制御部を
さらに具備したことを特徴とする請求項４に記載の植物栽培装置。
【請求項６】
多段の植物栽培棚における上段部と下段部それぞれに、植物の種子や苗を育成するための少なくとも１つの植物栽培容器を収容したパレットを所定数ずつ、水平方向の一進行方向に一列状に並べて配設し、かつ前記上段部及び下段部の各段部に一列状に配設した前記所定数のパレットを前記上段部及び下段部間でパレット単位で循環移動させるように構成した植物栽培装置であって、
前記少なくとも１つの植物栽培容器を収容可能で、かつ左右両側に移動用の車輪を備えた前記所定数のパレットを、前記下段部の水平方向に配設された平行レール上に移動可能に載置して、これら所定数のパレットを前記水平方向の一進行方向に順次に連続的に移動可能とする下段側搬送路としての第１のレール部と、
前記所定数のパレットを、前記上段部の水平方向に配設された平行レール上に移動可能に載置して、これら所定数のパレットを前記水平方向の一進行方向とは反対の進行方向に順次に連続的に移動可能とする上段側搬送路としての第２のレール部と、
前記下段部の前記第１のレール部の進行方向の終端部と前記上段部の前記第２のレール部の進行方向の始端部との間で前記パレットを搬送可能に設けられ、前記パレットを収容して前記上下段部間を昇降移動させる動作を行うと共に前記上下段部の各段部の位置にて前記パレットを引き出しまたは押し出しする動作を行う第１の駆動台を備えた第１の駆動部であって、前記第１の駆動台は、前記第１のレール部にガイドされて前記下段部を水平移動してきたパレットが前記第１のレール部の進行方向の終端部に到達したとき、更に該パレットが後続のパレットに押されるタイミングで該パレットを第１の駆動空間に引き出し、該第１の駆動空間に引き出したパレットを前記上段部の前記第２のレール部の進行方向の始端部に対応する高さ位置にまで上昇移動させた後、その上昇移動させた位置で該パレットをパレット１つ分だけ前記一進行方向に押し出して移動させる第１の駆動部と、
前記上段部の前記第２のレール部の進行方向の終端部と前記下段部の前記第１のレール部の進行方向の始端部との間で前記パレットを搬送可能に設けられ、前記パレットを収容して前記上下段部間を昇降移動させる動作を行うと共に前記上下段部の各段部の位置にて前記パレットを引き出しまたは押し出しする動作を行う第２の駆動台を備えた第２の駆動部であって、前記第２の駆動台は、前記第２のレール部にガイドされて前記上段部を水平移動してきたパレットが前記第２のレール部の進行方向の終端部に到達したとき、更に該パレットが後続のパレットに押されるタイミングで該パレットを第２の駆動空間に引き出し、該第２の駆動空間に引き出したパレットを前記下段部の前記第１のレール部の進行方向の始端部に対応する高さ位置にまで下降移動させた後、その下降移動させた位置で該パレットをパレット１つ分だけ前記一進行方向とは反対の前記進行方向に押し出して移動させる第２の駆動部と、
前記搬送部を構成する上下段のレール部のうちの下段側の前記第１のレール部に配置される前記所定数のパレットに積み込む植物栽培容器内に播いた種子を発芽させるのに必要な所定期間においては、前記植物栽培容器が配置された前記下段側の内部空間を外部と遮断するための遮光手段と、を具備し、
前記下段側の遮光された内部空間内で、前記植物栽培容器内に播いた種子を発芽させるのに必要な前記所定期間を経過させ、その後は、前記第１及び第２の駆動部を動作させて前記植物栽培容器を収容したパレットを光の当たる上段側に移動可能に構成したことを特徴とする植物栽培装置。
【請求項７】
前記第１の駆動部における昇降動作及び引き出し／押し出し動作と、前記第２の駆動部における昇降動作及び引き出し／押し出し動作とのタイミングを制御する制御部を
さらに具備したことを特徴とする請求項６に記載の植物栽培装置。
【請求項８】
前記第１の駆動台は、前記パレットを前記第２のレール部の進行方向の始端部に対応する高さ位置にまで上昇移動した位置で該パレットをパレット１つ分だけ水平方向の前記一進行方向に押し出して移動させた後は、前記第１のレール部の進行方向の終端部に対応する高さ位置にまで下降移動させることを特徴とする請求項６又は７に記載の植物栽培装置。
【請求項９】
前記第２の駆動台は、前記パレットを前記第１のレール部の進行方向の終端部に対応する高さ位置にまで下降移動した位置で該パレットをパレット１つ分だけ水平方向の前記一進行方向とは反対の進行方向に押し出して移動させた後は、前記第２のレール部の進行方向の終端部に対応する高さ位置にまで上昇移動させることを特徴とする請求項６又は７に記載の植物栽培装置。
【請求項１０】
前記第１の駆動台の上昇下降動作と前記第２の駆動台の上昇下降動作とは対応して同期的に行われ、また前記第１の駆動台におけるパレットの引き出し動作及び押し出し動作の各動作に対応して、前記第２の駆動台におけるパレットの押し出し動作及び引き出し動作が同期的に行われることを特徴とする請求項６又は７に記載の植物栽培装置。
【請求項１１】
前記第１の駆動台は、前記パレットを前記第１の駆動空間で昇降動作させる第１の駆動源としての第１のモータと、前記パレットを前記第１の駆動空間で引き出し動作及び押し出し動作させる第２の駆動源としての第２のモータとを備え、
前記第２の駆動台は、前記パレットを前記第２の駆動空間で昇降動作させる第３の駆動源としての第３のモータと、前記パレットを前記第２の駆動空間で押し出し動作及び引き出し動作させる第４の駆動源としての第４のモータとを備えることを特徴とする請求項６又は７に記載の植物栽培装置。
【請求項１２】
前記第１の駆動台における前記押し出し動作は、前記第１の駆動台の第２の駆動源に連接して設けられた当接板が、押し出し予定のパレットの当接側端部に当接して該当接側端部を押し出すことによって行われ、
前記第１の駆動台における前記引き出し動作は、前記第１の駆動台の第２の駆動源に連接して設けられた前記当接板の付近に形成した係合片が、引き出し予定のパレットの前記当接側端部の一部に係合することによって行われ、
前記第２の駆動台における前記押し出し動作は、前記第２の駆動台の前記第４の駆動源に連接して設けられた当接板が、押し出し予定のパレットの当接側端部に当接して該当接側端部を押し出すことによって行われ、
前記第２の駆動台における前記引き出し動作は、前記第２の駆動台の前記第４の駆動源に連接して設けられた前記当接板の付近に形成した係合片が、引き出し予定のパレットの前記当接側端部の一部に係合することによって行われることを特徴とする請求項１１に記載の植物栽培装置。
【発明の詳細な説明】
【技術分野】
【０００１】
本発明は、水耕栽培を行う場合に、植物栽培棚を多段式に構成し、上下段間で植物栽培用パレットを移動させ、遮光と光照射とを自由に選択して植物を生育させることができる植物栽培装置に関する。
【背景技術】
【０００２】
従来、植物栽培には、露地栽培に比較して、短期間に集約的に栽培して収穫でき、生産性が高く、しかも清浄な空間で栽培できるハウス栽培が行われている。
【０００３】
このハウス栽培には、主に太陽光を利用するものと、人工光源を利用するものがある。太陽光を利用するものは、日中、特に天候の良いときは光量の多い太陽光を利用でき、便利である。
【０００４】
一方、少ない敷地面積で高い生産性を上げるために、栽培棚を多段にすることも行われている。
【０００５】
ハウス栽培で太陽光を利用し、かつ栽培棚を多段にする場合には、各段に太陽光を均等に照射することは難しいために、垂直面内で車輪状のフレーム(回転体)に栽培容器を吊り下げて回転移動させる場合には、回転体に複数の栽培容器を一定間隔に吊り下げて循環移動させて各栽培容器に太陽光を可能な限り均等に照射することが行われていた。
【０００６】
しかしながら、循環移動して複数の栽培容器に太陽光を均等に照射させることは容易であるが、隣接する栽培容器間には一定以上の間隔が必要とされるために、ハウス内の限られた空間内に配置できる栽培容器数は限られたものとなってしまう。
【０００７】
そこで、栽培棚を多段にし、かつ多段の栽培棚を循環移動させる自動化栽培装置も提案されている。このような先行技術文献としては、例えば特許文献１に開示されているものがある。特許文献１には、水透過性育苗床材を充填した育苗ポットを着脱可能に装着した通水性育苗容器を収容した可動収納枠体を、ガイドレールと栽培養液の入った生育用水槽とを上下に複数段設けてなる上り用搬送路群及び下り用搬送路群に充満状に装填するとともに循環移動させ、循環移動中に前記育苗ポットの水透過性育苗床材に植え付けた植物を生長させるようにした植物の自動化栽培方法及び自動化栽培装置が開示されている。
【０００８】
一方、植物栽培の中でも芽物野菜(例えば豆苗、貝割れ大根など)の栽培では、栽培容器に種子を播き、播種した栽培容器を暗室に所定期間配置し、この所定期間を経過させることにより種子を発芽させ、その後は、発芽させた苗を暗室から光の当たる所まで運び、その場所で光合成を行わせて茎や葉を成育させる作業が行われていた。
【先行技術文献】
【特許文献】
【０００９】
【特許文献１】特開２００１−９５４０４号公報
【発明の概要】
【発明が解決しようとする課題】
【００１０】
しかしながら、特許文献１は、上り用搬送路群及び下り用搬送路群の２つの搬送路群を備えている (上り用，下り用の各搬送路群の各々の搬送路のガイドレールはその進行方向に向かって下り傾斜している) ことと、かつ複数の上下段間での可動収納枠体の移動はフォークリフトのフォークを用いていることにより、全体構成が複雑な構造となっている。
【００１１】
さらに、植物の栽培例えば芽物野菜の栽培では、栽培容器に種子を播き、播種した栽培容器を暗室に所定期間設置し、この期間が経過することによって種子を発芽させ、その後は、発芽した苗を暗室から光の当たる場所へ移動させる労力が必要であった。
【００１２】
本発明は上記の事情に鑑みてなされたものであり、植物育生等の作業をきわめて簡易に行うことができ、少ない敷地面積で栽培面積を増やし、植物を収容したパレットを水平方向に移動でき、全体構成がシンプルな構造であり、しかも芽物野菜のような植物栽培において、発芽した苗を暗室から光の当たる別の場所へ運んで移動させることなく、遮光と光照射とを自由に選択して植物を生育させ、植物栽培の生産性を向上できる植物栽培装置を提供することを目的としている。
【課題を解決するための手段】
【００１３】
本発明の一態様の植物栽培装置は、多段の植物栽培棚の各段を水平移動可能な複数のパレットの連続的な配列で構成し、パレット単位で順次に循環移動させる植物栽培装置であって、各段の前記複数のパレットを順次にパレット単位で水平方向に搬送する各段のレール部を複数段備えた搬送部と、前記搬送部の両端部それぞれに配設され、前記パレットを昇降させる昇降機構と該パレットを水平方向に引き出しまたは押し出しする引き出し／押し出し機構とを備え、前記パレットを上下の各段間で移動させ、かつ各段の位置にて該パレットを対応する各段の前記レール部に対して出し入れする第１及び第２の駆動部と、前記搬送部を構成する複数段のレール部のうちの下段側の少なくとも１つのレール部に配置される前記複数のパレットに積み込む植物栽培容器内に播いた種子を発芽させるのに必要な所定期間においては、前記植物栽培容器が配置された前記下段側の少なくとも１つの段の内部空間を外部と遮断するための遮光手段と、を具備し、前記下段側の少なくとも１つの段の遮光された内部空間内で、前記植物栽培容器内に播いた種子を発芽させるのに必要な前記所定期間を経過させ、その後は、前記第１及び第２の駆動部を動作させて前記植物栽培容器を収容したパレットを光の当たる上段側の少なくとも１つの段に移動可能に構成したものである。
【００１４】
本発明の他の態様の植物栽培装置は、多段の植物栽培棚における上段部と下段部それぞれに、植物の種子や苗を育成するための少なくとも１つの植物栽培容器を収容したパレットを所定数ずつ、水平方向の一進行方向に一列状に並べて配設し、かつ前記上段部及び下段部の各段部に一列状に配設した前記所定数のパレットを前記上段部及び前記下段部間でパレット単位で循環移動させるように構成した植物栽培装置であって、前記少なくとも１つの植物栽培容器を収容可能で、かつ左右両側に移動用の車輪を備えた前記所定数のパレットを水平方向の一進行方向に順次に連続的に移動可能とする下段側搬送路としての第１のレール部と、前記所定数のパレットを前記水平方向の一進行方向とは反対の進行方向に順次に連続的に移動可能とする上段側搬送路としての第２のレール部と、前記下段部の前記第１のレール部の進行方向の終端部と前記上段部の前記第２のレール部の進行方向の始端部との間で前記パレットを搬送可能に設けられ、前記パレットを収容して前記上下段部間を昇降移動させる動作を行うと共に前記上下段部の各段部の位置にて前記パレットを引き出しまたは押し出しする動作を行う第１の駆動台を備えた第１の駆動部と、前記上段部の前記第２のレール部の進行方向の終端部と前記下段部の前記第１のレール部の進行方向の始端部との間で前記パレットを搬送可能に設けられ、前記パレットを収容して前記上下段部間を昇降移動させる動作を行うと共に前記上下段部の各段部の位置にて前記パレットを引き出しまたは押し出しする動作を行う第２の駆動台を備えた第２の駆動部と、前記搬送部を構成する上下段のレール部のうちの下段側の前記第１のレール部に配置される前記所定数のパレットに積み込む植物栽培容器内に播いた種子を発芽させるのに必要な所定期間においては、前記植物栽培容器が配置された前記下段側の内部空間を外部と遮断するための遮光手段と、を具備し、前記下段側の遮光された内部空間内で、前記植物栽培容器内に播いた種子を発芽させるのに必要な前記所定期間を経過させ、その後は、前記第１及び第２の駆動部を動作させて前記植物栽培容器を収容したパレットを光の当たる上段側に移動可能に構成したものである。
【００１５】
本発明のもう１つの他の態様の植物栽培装置は、多段の植物栽培棚における上段部と下段部それぞれに、植物の種子や苗を育成するための少なくとも１つの植物栽培容器を収容したパレットを所定数ずつ、水平方向の一進行方向に一列状に並べて配設し、かつ前記上段部及び下段部の各段部に一列状に配設した前記所定数のパレットを前記上段部及び下段部間でパレット単位で循環移動させるように構成した植物栽培装置であって、前記少なくとも１つの植物栽培容器を収容可能で、かつ左右両側に移動用の車輪を備えた前記所定数のパレットを、前記下段部の水平方向に配設された平行レール上に移動可能に載置して、これら所定数のパレットを前記水平方向の一進行方向に順次に連続的に移動可能とする下段側搬送路としての第１のレール部と、前記所定数のパレットを、前記上段部の水平方向に配設された平行レール上に移動可能に載置して、これら所定数のパレットを前記水平方向の一進行方向とは反対の進行方向に順次に連続的に移動可能とする上段側搬送路としての第２のレール部と、前記下段部の前記第１のレール部の進行方向の終端部と前記上段部の前記第２のレール部の進行方向の始端部との間で前記パレットを搬送可能に設けられ、前記パレットを収容して前記上下段部間を昇降移動させる動作を行うと共に前記上下段部の各段部の位置にて前記パレットを引き出しまたは押し出しする動作を行う第１の駆動台を備えた第１の駆動部であって、前記第１の駆動台は、前記第１のレール部にガイドされて前記下段部を水平移動してきたパレットが前記第１のレール部の進行方向の終端部に到達したとき、更に該パレットが後続のパレットに押されるタイミングで該パレットを第１の駆動空間に引き出し、該第１の駆動空間に引き出したパレットを前記上段部の前記第２のレール部の進行方向の始端部に対応する高さ位置にまで上昇移動させた後、その上昇移動させた位置で該パレットをパレット１つ分だけ前記一進行方向に押し出して移動させる第１の駆動部と、前記上段部の前記第２のレール部の進行方向の終端部と前記下段部の前記第１のレール部の進行方向の始端部との間で前記パレットを搬送可能に設けられ、前記パレットを収容して前記上下段部間を昇降移動させる動作を行うと共に前記上下段部の各段部の位置にて前記パレットを引き出しまたは押し出しする動作を行う第２の駆動台を備えた第２の駆動部であって、前記第２の駆動台は、前記第２のレール部にガイドされて前記上段部を水平移動してきたパレットが前記第２のレール部の進行方向の終端部に到達したとき、更に該パレットが後続のパレットに押されるタイミングで該パレットを第２の駆動空間に引き出し、該第２の駆動空間に引き出したパレットを前記下段部の前記第１のレール部の進行方向の始端部に対応する高さ位置にまで下降移動させた後、その下降移動させた位置で該パレットをパレット１つ分だけ前記一進行方向とは反対の前記進行方向に押し出して移動させる第２の駆動部と、前記搬送部を構成する上下段のレール部のうちの下段側の前記第１のレール部に配置される前記所定数のパレットに積み込む植物栽培容器内に播いた種子を発芽させるのに必要な所定期間においては、前記植物栽培容器が配置された前記下段側の内部空間を外部と遮断するための遮光手段と、を具備し、前記下段側の遮光された内部空間内で、前記植物栽培容器内に播いた種子を発芽させるのに必要な前記所定期間を経過させ、その後は、前記第１及び第２の駆動部を動作させて前記植物栽培容器を収容したパレットを光の当たる上段側に移動可能に構成したことを特徴とする植物栽培装置。
【図面の簡単な説明】
【００１６】
【図１】本発明の一実施形態の植物栽培装置における駆動台が下段部(一段目)に下降した状態での概略構成を示す斜視図。
【図２】本発明の一実施形態の植物栽培装置における駆動台が上段部(二段目)に上昇した状態での概略構成を示す斜視図。
【図３】本発明の一実施形態の植物栽培装置における遮光手段を説明する斜視図。
【図４】本発明の一実施形態の植物栽培装置における第１の駆動部の昇降機構の一例を説明する斜視図。
【図５】本発明の一実施形態の植物栽培装置における第１の駆動部のパレット引き出し及び押し出し機構の一例を説明する斜視図。
【図６】本発明の一実施形態の植物栽培装置における第１の駆動部のパレット引き出し及び押し出し機構のパレット引き出し後または押し出し前の状態を示す斜視図。
【図７】本発明の一実施形態の植物栽培装置における第１の駆動部のパレット引き出し及び押し出し機構のパレット引き出し前または押し出し後の状態を示す斜視図。
【図８Ａ】本発明の一実施形態の植物栽培装置における植物栽培容器の一例を示す斜視図。
【図８Ｂ】図８Ａの植物栽培容器に播種した状態を示す斜視図。
【図８Ｃ】図８Ａの植物栽培容器での発芽後の苗の状態を示す斜視図。
【図９】本発明の一実施形態の植物栽培装置に用いられるパレットの一例を示す斜視図。
【図１０】本発明の一実施形態の植物栽培装置に、所定数の植物栽培容器を搭載したパレットを搬送路としてのレール部に載せた状態での一部破断した平面図。
【図１１】図１０の正面図。
【図１２】本発明の一実施形態の植物栽培装置における散水機構の一例を配設した構成を示す断面図。
【図１３】本発明の一実施形態の植物栽培装置における第１の駆動部のパレット引き出し及び押し出し機構のパレット引き出し後または押し出し前の状態を簡略的に表記(図６に対応した表記)した説明図。
【図１４】本発明の一実施形態の植物栽培装置における第１の駆動部のパレット引き出し及び押し出し機構のパレット引き出し前または押し出し後の状態を簡略的に表記(図７に対応した表記)した説明図。
【図１５Ａ】図１５Ａ乃至図１５Ｎは本発明の一実施形態の二段式の植物栽培装置における、空パレットへの播種済み栽培容器の積み込み搬送工程の一例を説明する説明図であり、図１５Ａはその工程の一部を説明する説明図。
【図１５Ｂ】本発明の一実施形態の二段式の植物栽培装置における、空パレットへの播種済み栽培容器の積み込み搬送工程の一部を説明する説明図。
【図１５Ｃ】本発明の一実施形態の二段式の植物栽培装置における、空パレットへの播種済み栽培容器の積み込み搬送工程の一部を説明する説明図。
【図１５Ｄ】本発明の一実施形態の二段式の植物栽培装置における、空パレットへの播種済み栽培容器の積み込み搬送工程の一部を説明する説明図。
【図１５Ｅ】本発明の一実施形態の二段式の植物栽培装置における、空パレットへの播種済み栽培容器の積み込み搬送工程の一部を説明する説明図。
【図１５Ｆ】本発明の一実施形態の二段式の植物栽培装置における、空パレットへの播種済み栽培容器の積み込み搬送工程の一部を説明する説明図。
【図１５Ｇ】本発明の一実施形態の二段式の植物栽培装置における、空パレットへの播種済み栽培容器の積み込み搬送工程の一部を説明する説明図。
【図１５Ｈ】本発明の一実施形態の二段式の植物栽培装置における、空パレットへの播種済み栽培容器の積み込み工程の一部を説明する説明図。
【図１５Ｉ】本発明の一実施形態の二段式の植物栽培装置における、空パレットへの播種済み栽培容器の積み込み搬送工程の一部を説明する説明図。
【図１５Ｊ】本発明の一実施形態の二段式の植物栽培装置における、空パレットへの播種済み栽培容器の積み込み搬送工程の一部を説明する説明図。
【図１５Ｋ】本発明の一実施形態の二段式の植物栽培装置における、空パレットへの播種済み栽培容器の積み込み搬送工程の一部を説明する説明図。
【図１５Ｌ】本発明の一実施形態の二段式の植物栽培装置における、空パレットへの播種済み栽培容器の積み込み搬送工程の一部を説明する説明図。
【図１５Ｍ】本発明の一実施形態の二段式の植物栽培装置における、空パレットへの播種済み栽培容器の積み込み搬送工程の一部を説明する説明図。
【図１５Ｎ】本発明の一実施形態の二段式の植物栽培装置における、空パレットへの播種済み栽培容器の積み込み搬送工程の一部を説明する説明図。
【図１６Ａ】図１６Ａ及び図１６Ｂは本発明の他の実施形態の四段式の植物栽培装置及びその動作工程の一例を説明する説明図であり、図１６Ａは動作工程の一部を説明する説明図。
【図１６Ｂ】本発明の他の実施形態の四段式の植物栽培装置の動作工程の一部を説明する説明図。
【発明を実施するための形態】
【００１７】
以下、本発明の実施の形態について図面を参照して説明する。
【００１８】
図１は本発明の一実施形態の植物栽培装置における、駆動台の下降状態(下段部位置)での概略構成を示し、図２は本発明の一実施形態の植物栽培装置における、駆動台の上昇状態(上段部位置)での概略構成を示している。
【００１９】
本実施形態に記述する植物栽培装置１は、太陽光線を天井面から採光可能なビニールハウスやガラス室などのハウス内に設置され、日中は栽培植物の光合成を促進できるように太陽光線を利用可能であり、また栽培養液の散布を所定時間の間隔で行えるように構成されている。
【００２０】
植物栽培装置１は、多段の植物栽培棚における上段部と下段部それぞれに、植物の苗(例えばえんどう豆の種子を暗室で１週間位で発芽させた後に暗室の外に出した苗)を更に育生し製品とするための少なくとも１つの植物栽培容器８０(図８Ａ〜図８Ｃ参照)を配置収容したパレット６０を所定の個数(図１及び図２では８パレット)ずつ搬送部３００の下段部(一段目)及び上段部(二段目)に配設する。このとき、搬送部３００には、パレット６０を水平方向の一進行方向に一列状に並べて配設する。そして、上段部及び下段部の各段部に一列状に配設した前記所定個数(上下段部を合わせて１６個)のパレット６０を上段部及び下段部間でパレット単位で循環移動させながら、上段部にて太陽光線を照射できるように構成している。なお、搬送部３００の上段部及び下段部の各段部の水平方向に一列状に連続的に配列するパレット数は、図１及び図２の配列例に限定されず、植物栽培装置１が設置されるハウスの敷地面積に応じて、例えば３０ｍ以上の長さになるようにパレットを多数個連続的に配列するように設計することもできる。
【００２１】
植物栽培装置１は、第１の駆動部１００と、第２の駆動部２００と、搬送部３００と、を備えている。更に、植物栽培装置１は、下段側の搬送路空間を外光から遮断し、暗室化するための遮光手段４０を備えている。遮光手段４０は、図３にて後述する。
【００２２】
搬送部３００は、下段部側搬送路としての第１のレール部７３，７４と、上段部側搬送路としての第２のレール部７５，７６とを備えた二段構成となっている。この二段の搬送路を有する搬送部３００では、第１の駆動部１００と第２の駆動部２００とを用いて、前記二段の搬送路に対するパレット搬出入及び循環移動が行われる。
【００２３】
第１の駆動部１００は、二段構成の搬送部３００の搬送方向の両端部分の一方の端部に設けられ、搬送されるパレット６０に対する昇降動作及び引き出し／押し出し動作を行う。
【００２４】
第２の駆動部２００は、前記二段構成の搬送部３００の搬送方向の両端部分のもう一方の端部に設けられ、搬送されるパレット６０に対する昇降動作及び引き出し／押し出し動作を行う。
【００２５】
第１の駆動部１００と第２の駆動部２００とは、植物栽培容器を搭載したパレット６０を搬送する二段式の搬送部３００の両端部(パレット搬出入端部)に設置され、上段部及び下段部間でパレット６０を循環移動させるための循環駆動を実現するものである。第１の駆動部１００と第２の駆動部２００とは、構造的には同様な構成であるので、以下の説明の構造の説明では、主に第１の駆動部１００について説明する。
【００２６】
第１の駆動部１００は、略直方体形状に形成された金属製の枠体５０と、この枠体５０内に配設されて、上下にパレット６０を昇降動作を行う一方、二段式搬送部３００の上下段部の各段部におけるパレット搬出入端部において搬送部３００に対するパレットの引き出し及び押し出し(以下、引き出し／押し出し、又は、押し出し／引き出しと略記)動作を行う駆動台１０と、を備えている。
【００２７】
駆動台１０は、パレット６０を走行可能に保持する１パレット分の走行長さに予め必要とされる追加分を加えた長さ(全長は枠体５０の奥行きに略同じ)を有したレール部１２と、このレール部１２を枠体５０の第１の駆動空間内で第１の駆動源２１にて昇降可能に支持すると共にレール部１２内に載っているパレット６０を第２の駆動源３１にて水平方向(レール進行方向)に移動動可能に支持する支持台１１と、前記支持台１１に対して前記レール部１２を一体的に固定するための接合プレート１３と、支持台１１の上面に固定されて後述のパレット押し出し用の当接板３３をスライド可能に支持する支持板１４と、を備えている。
【００２８】
第２の駆動部２００の構造も、第１の駆動部１００の構造と同様であるので、第１の駆動部１００の各部１１，１２，１３と対応する部分の説明には同一符号を付して説明することにする。
【００２９】
搬送部３００は、一対の平行レール７３，７４で構成される前記第１のレール部と、一対の平行レール７５，７６で構成される前記第２のレール部と、前記第１のレール部と前記第２のレール部とを内部に支持して固定するための梁と柱によるコ字形状を有した、所定間隔に複数(図では７本)配設されたの枠体７０と、を備えている。各々の枠体７０は、例えば金属製であり、左右両側の２本の柱７１と、該２本の柱７１それぞれの上端間を結合する梁７２と、を備えている。前記第１のレール部と前記第２のレール部とは、２本の柱７１の内面に溶接等により固定されている。
【００３０】
また、植物栽培装置１は、栽培養液を散布するための散水機構９０を備える。散水機構９０としては、例えば、第１の駆動部１００の枠体５０の後方側の梁５１の下側部分に、多数の滴下孔を備えた散水用パイプとして設けられている。散水機構９０は、第２の駆動部２００の枠体５０の前方側の梁５１の下側部分にも設けてもよい。更に、散水機構９０は、複数の枠体７０の全ての梁７２に設置してもよいし、複数の枠体７０における適宜の間隔に設けられてもよい。
【００３１】
さらに、植物栽培装置１は、第１の駆動部１００の駆動台１０が下段部位置に下降したことを検知する位置検出センサ１０１と、第１の駆動部１００の駆動台１０が上段部位置に上昇したことを検知する位置検出センサ１０２と、第２の駆動部２００の駆動台１０が下段部位置に下降したことを検知する位置検出センサ１０３と、第２の駆動部２００の駆動台１０が上段部位置に上昇したことを検知する位置検出センサ１０４と、を備える。
【００３２】
なお、三段式の植物栽培装置では、最上段部と最下段部との間に配設される中段部の位置に第１の駆動部１００の駆動台１０が位置したことを検出する位置検出センサと、前記中段部の位置に第２の駆動部２００の駆動台１０が位置したことを検出する位置検出センサと、を更に備える。
【００３３】
さらに、植物栽培装置１は、搬送部３００の下段部のパレット列のうちの進行方向終端位置にあるパレットが搬送部３００の終端位置(第１の駆動部１００内に入る直前の位置)に来たことをパレット側のマーク有無で検知するセンサ２０１と、搬送部３００の上段部のパレット列のうちの進行方向終端位置にあるパレットが搬送部３００の終端位置(第２の駆動部２００内に入る直前の位置)に来たことをパレット側のマーク有無で検知するセンサ２０２と、を備える。また、三段式の植物栽培装置では、搬送部３００の中段部のパレット列のうちの進行方向終端位置にあるパレットが搬送部３００の終端位置(第１の駆動部１００または第２の駆動部２００内に入る直前の位置)に来たことをパレット側のマーク有無で検知するセンサを、更に備える。
【００３４】
なお、多段式の植物栽培装置１は、各段ともパレットの進行方向を変えて使用する場合があるので、各段の搬送路としてのレール部の両端部付近にそれぞれ１つずつ計２つのセンサを配置し、パレット列が進行方向の終端位置に達したことを検知するようにしてもよい。
【００３５】
植物栽培装置１は、さらに、前記位置検出センサ１０１〜１０４，及びセンサ２０１，２０２の検出結果に基づいて、第１の駆動部１００における昇降動作及び引き出し／押し出し動作と、前記第２の駆動部２００における昇降動作及び引き出し／押し出し動作とのタイミングを制御する制御装置(図示略)としてのコントローラを備えている。すなわち、図示しない制御装置が、第１及び第２の駆動部１００及び２００の昇降機構及び引き出し／押し出し機構の動作タイミングを制御することによってパレット列の循環駆動を制御する。
【００３６】
また、第１及び第２の駆動部１００，２００の付近には、作業者が操作する操作ボタン(図示略)が設けられており、作業者が操作ボタンを押すことにより、作業者が空パレットに対して積み込みを完了して該パレットを搬送させる指令が上記タイミング制御装置に送られるようになっている。
【００３７】
図３は本発明の一実施形態の植物栽培装置における遮光手段４０を説明する斜視図である。
【００３８】
図３において、遮光手段４０は、搬送部３００を構成する上下段の第１，第２のレール部のうちの下段側の１つのレール部(７３，７４)に配置される所定数のパレット６０に積み込んだ植物栽培容器８０内に播種された種子を発芽させる所定期間においては、植物栽培容器８０が配置された下段側の内部空間を外部と遮断し、外光を阻止する機能を有する。
【００３９】
遮光手段４０としては、遮光性の高い材料で形成された遮光カバー或いは遮光カーテンを用いて下段側の搬送路(第１のレール部)の空間を囲むようにして遮光する。なお、上段側の搬送路(第２のレール部)には通常所定数のパレット６０が隙間なく連続的に一列状に並んだ配列を形成するので(しかもパレット６０の左右両側はレール部に係合して遮光性が高いので)、第２のレール部７５，７６より下段側の空間を遮光して暗室化する構造とすればよい。また、第１，第２の駆動部１００，２００の駆動台１０が昇降する第１，第２の駆動空間はパレット列の下段側への搬入が済んだ後に、遮光部材で上部、前面部又は後面部、及び左右の側面部を囲むことにより、遮光が可能である。
【００４０】
このように遮光手段４０を用いた構成によれば、例えば豆苗や貝割れ大根の育生及び収穫を行う際に、植物栽培容器８０内の少なくとも種子を発芽させる所定期間(例えば豆苗では１週間位、貝割れ大根では３日間位)を下段側空間を取り囲むように形成した暗室内にて発芽させ、この発芽の所定期間を経過した後は、第１及び第２の駆動部１００，２００を囲む遮光部材の一部を開放した後、引き出し／押し出し機構及び昇降機構を駆動させて植物栽培容器８０を収容した所定数のパレット６０を上段側の搬送路へ順次に搬送移動させる。そして、発芽後の所定数のパレット６０を全て上段側に移動した後は、その上段側の搬送路にて所定期間(例えば豆苗では１週間位、貝割れ大根では３日間位)静止させることにより、植物を太陽光又は人工光に当てて、生育させる。
【００４１】
このように下段側に遮光手段４０を備えた多段式の植物栽培装置１を用いれば、発芽用の暗室を別に設ける必要がなく、発芽後の苗の生育期間にも上段側へ機械的に移動させれば人手を介することなく、植物を太陽光又は人工光に当てて、光合成を行わせ、茎や葉を育生することができる。
【００４２】
なお、天候等の気象状態の悪化で太陽光利用が不都合な場合にも植物苗の光合成を可能とするために、蛍光灯照明やＬＥＤ照明などの人工照明装置を各段部に適宜の間隔で枠体７０などを支持材として用いて配置してもよい。或いは、人工照明装置として紫外線照射部を、各段の進行方向の終端側パレットの上部位置に配置することにより、植物苗に対する殺菌消毒を行う効果が得られる。紫外線照射部の配設位置を、収穫前の苗入りパレットが配送される段部の進行方向の少なくとも終端側パレットの上部位置とするように構成してもよい。
【００４３】
第２の駆動部２００の動作も、第１の駆動部１００の動作と同様な動作となる。
【００４４】
播種済み植物栽培容器８０を植物栽培装置１内の空きパレット６０に積み込んで下段部側搬送路(第１のレール部)へ搬入し、下段部側搬送路において播種済み容器搭載パレットを発芽期間が経過するまで静止状態とした後に、パレット単位で順次に上段部側に移動搬送するまでの動作の一例については、図１５Ａ〜図１５Ｋで詳述する。
【００４５】
以下に、植物栽培装置１の各部に関する構成及び動作について図４〜図１４を参照して更に説明する。
【００４６】
図４は植物栽培装置１における第１の駆動部１００の昇降機構の一例を説明する斜視図である。
【００４７】
図４において、昇降機構は、枠体５０に新たに設けた支持体２２に取り付けられた平行ガイド２４，２４及びボールねじ２３に対してスライドテーブル２５のスライド用係合部２５ａ，２５ａを係合し、第１の駆動部１００の駆動台１０を構成する前記支持台１１及び前記レール部１２をスライドテーブル２５の表面に固着することにより、スライドテーブル２５に固定した駆動台１０を第１の駆動源２１の駆動モータ(図示略)にてボールねじ２３を回転させ、その回転に応じて上下方向Ａに昇降可能にする。前記支持体２２の代わりに枠体５０の柱部分を利用してもよい。
【００４８】
昇降機構としては、第１の駆動源２１の駆動モータ(図示略)の回転力を、ワイヤや滑車を用いて駆動台１０に伝達して、駆動台１０を昇降可能にする構成としてもよい。その他、第１の駆動源２１の駆動モータ(図示略)の回転力で、タイミングベルト駆動、或いはチェーン駆動などで伝達して、駆動台１０を昇降可能にする構成としてもよい。或いは、第１の駆動源２１として、駆動モータ(図示略)に代えて、空気圧又は油圧シリンダとピストンロッドによる直動機構を用いて、駆動台１０を昇降させるように構成してもよい。
【００４９】
図５〜図７は植物栽培装置１における第１の駆動部１００のパレット引き出し／押し出し機構の一例を説明する斜視図である。
【００５０】
図５〜図７において、パレット引き出し／押し出し機構は、駆動台１０に設けた第２の駆動源３１の駆動モータ(図示略)を用いて歯車(ピニオン)(図示略)を回転させることで、ラック３２ａに固定してある２本のストローク部材３２を図６の状態から図７の状態へ前進させて、２本のストローク部材３２の先端部に固着した当接板３３を、押し出し予定のパレット６０の当接側端部に当接して該当接側端部を押し出し方向Ｂの奥行き方向に押し出す動作を行い、或いは、駆動台１０における第２の駆動源３１に連接して設けられた前記当接板３３の付近に形成した爪状の係合片(図示略)を、引き出し予定のパレット６０の前記当接側端部の一部に機械的に自動的に係合(ロック)させ、その状態で第２の駆動源３１の駆動モータ(図示略)を逆回転させることで、２本のストローク部材３２を図７の状態から図６の状態へ後進させて、２本のストローク部材３２の先端部に固着した当接板３３に係合した引き出し予定のパレット６０を引き出し方向Ｂの手前方向に引き出し動作を行う。引き出し動作における当接板３３とパレット６０との係合状態は、パレット６０が図６の引き出し終了位置に戻ったときに機械的に自動的に解除(ロックフリー)されるように構成されている。
【００５１】
パレット引き出し／押し出し機構としては、第２の駆動源３１の駆動モータ(図示略)の回転力を、ストローク部材３２の代わりにワイヤなどを用いて当接板３３に伝達して、当接板３３を移動し、パレットの引き出し／押し出し可能にする構成としてもよい。その他、第２の駆動源３１の駆動モータ(図示略)の回転力で、タイミングベルト駆動、或いはチェーン駆動などで伝達して、当接板３３をパレット引き出し／押し出し可能にする構成としてもよい。或いは、第２の駆動源３１として、駆動モータ(図示略)に代えて、空気圧又は油圧シリンダとピストンロッドによる直動機構を用いて、当接板３３を移動可能にし、パレットの引き出し／押し出しを行うように構成してもよい。
【００５２】
図８Ａは植物栽培容器８０の一例を示し、図８Ｂは図８Ａの植物栽培容器８０の栽培室８２内に例えばエンドウ豆の種子８４を播種した状態を示し、図８Ｃは図８Ｂの播種状態から種子８４が発芽した後の苗８５の状態を示している。
【００５３】
この植物栽培容器８０は例えば白色系又は同色の半透明の合成樹脂で形成されており、図８に示すように平面部８１に対して複数(図では１０個)の栽培室８２が設けられ、栽培室８２の底面には通水孔８３も形成されている。
【００５４】
本発明の実施形態では、まず、作業者は、栽培室８２の底面に例えばえんどう豆の種子８４を播いた図８Ｂに示す状態の植物栽培容器(単に播種済み容器と記す)８０をパレット６０内に配置した後、操作ボタンを押すと、第１の駆動部１００の駆動台１０が下段側搬送路(第１のレール部)の位置で水平方向駆動にて播種済み容器搭載パレット６０を水平方向に押し出すことによって、図３で説明した遮光手段４０で遮光された状態(即ち暗室と同等)にある下段側搬送路(第１のレール部(７３，７４))の栽培空間に前記播種済み容器搭載パレット６０をパレット単位で順次に搬入していくことができる。下段側のパレット列の暗室の栽培空間が全て播種済み容器搭載パレット６０の配列で満たされるまで播種済み容器搭載パレットの搬入を行う。そして、この播種済み容器搭載パレットを暗室状態の下段部側空間に所定数搬入した状態で、発芽のために所定期間(例えば豆苗の場合は７日間くらい、貝割れ大根の場合は３日間くらい)暗室空間内に置かれる。
【００５５】
このように、図示の二段式の植物栽培装置１の下段側暗室に置かれた状態で、例えばえんどう豆の場合は１週間ほど経過すると、図８Ｃのように発芽して双葉(子葉)８５が出た苗に生育する。この状態で、作業者が第１の駆動空間にて新たなパレットに播種済み容器を搭載した後、操作ボタンを押すと、第１の駆動部１００の駆動台１０が下段搬送路側の苗入り容器搭載パレット６０の進行方向への押し出し動作を行うと同時に、第２の駆動部２００の駆動台１０が下段搬送路側の進行方向末端の苗入り容器搭載パレット６０を第２の駆動部２００の第２の駆動空間へ引き出す動作を行った後、この引き出された苗入り容器搭載パレット６０を上昇させ、上段側搬送路(第２のレール部(７５，７６))の位置にまで上昇させ、その後に続くパレット単位の水平駆動の引き出し／押し出し動作により前記第２の駆動空間内から上段側搬送路(第２のレール部)に順次に移動していく。苗入り容器搭載パレット６０が第２の駆動空間から上段側搬送路へ搬入される付近の上方には散水機構９０が設けられていて、苗入り容器搭載パレット６０が１パレット分移動する間に栽培養液を散布する。そして、苗入り容器搭載パレット６０が所定数、上段側搬送路に配列移動された状態に至った状態で、更に所定期間(豆苗育成の場合は１週間位)、太陽光又は人工光を当てることにより製品として収穫可能なまでに成長させることができる。このような下段側から上段側への循環動作については、後述の図１５Ａ〜図１５Ｋにて詳しく説明する。
【００５６】
図９は植物栽培装置１に用いられるパレットの一例を示している。
【００５７】
図９に示すような空パレット６０内には植物栽培容器８０を所定の個数(例えば２２個)並べて配置することができる。なお、図８Ａ〜図８Ｃにおける植物栽培容器８０のサイズは例えば６００ｍｍ×３００ｍｍである。
【００５８】
図９に示すように、パレット６０は、上面が開口し箱状に構成され、所定個数の植物栽培容器８０を収容可能なパレット本体６１と、パレット本体６１の進行方向に沿った左右両側に配設された移動用の車輪６２と、を備えている。図９におけるパレット６０のサイズは例えば３３００ｍｍ×１２００ｍｍである。
【００５９】
なお、パレット６０内に植物栽培容器８０を配置する際には、パレット６０の底面に波板(図示略)を敷いた上で、その波板上に植物栽培容器８０を配置することにより、散水機構９０で栽培養液又は水を散布した後は、余剰の養液又は水が植物栽培容器８０の底面の通水孔８３から波板上に排水され、植物苗に適量の養液又は水を植物栽培容器８０内に保持させることができる。
【００６０】
図１０には、所定数(図では２２固)の植物栽培容器８０を収容したパレット６０に設けた車輪６２を、搬送路としてのレール部７３，７４に載せた状態の平面図を示している。図１１は図１０の正面図である。
【００６１】
第１のレール部は、下段側搬送路として機能するものであって、所定数のパレット６０を、下段部の水平方向に配設された平行レール７３，７４上に移動可能に載置して、これら所定数のパレット６０を前記水平方向の一進行方向に順次に連続的に移動可能とする。
【００６２】
第２のレール部は、上段側搬送路として機能するものであって、所定数のパレット６０を、上段部の水平方向に配設された平行レール７５，７６上に移動可能に載置して、これら所定数のパレット６０を前記水平方向の一進行方向とは反対の進行方向に順次に連続的に移動可能とする。
【００６３】
第１の駆動部１００は、下段部の第１のレール部の進行方向の終端部と上段部の第２のレール部の進行方向の始端部との間でパレット６０を搬送可能に設けられ、パレット６０を収容して上下段部間を昇降移動させる動作を行うと共に上下段部の各段部の位置にてパレット６０を引き出しまたは押し出しする動作を行う第１の駆動台１０を備えたものであって、第１の駆動台１０は、第１のレール部にガイドされて下段部を水平移動してきたパレット６０が第１のレール部の進行方向の終端部に到達したとき、更に該パレット６０が後続のパレット６０に押されるタイミングで該パレット６０を第１の駆動空間に引き出し、該第１の駆動空間に引き出したパレット６０を上段部の第２のレール部の進行方向の始端部に対応する高さ位置にまで上昇移動させた後、その上昇移動させた位置で該パレット６０をパレット１つ分だけ前記一進行方向に押し出して移動させる。
【００６４】
第２の駆動部２００は、上段部の第２のレール部の進行方向の終端部と下段部の第１のレール部の進行方向の始端部との間でパレット６０を搬送可能に設けられ、パレット６０を収容して上下段部間を昇降移動させる動作を行うと共に上下段部の各段部の位置にてパレット６０を引き出しまたは押し出しする動作を行う第２の駆動台１０を備えたものであって、第２の駆動台１０は、第２のレール部にガイドされて上段部を水平移動してきたパレット６０が第２のレール部の進行方向の終端部に到達したとき、更に該パレット６０が後続のパレット６０に押されるタイミングで該パレット６０を第２の駆動空間に引き出し、該第２の駆動空間に引き出したパレットを下段部の第１のレール部の進行方向の始端部に対応する高さ位置にまで下降移動させた後、その下降移動させた位置で該パレット６０をパレット１つ分だけ前記一進行方向とは反対の進行方向に押し出して移動させる。
【００６５】
なお、第１の駆動部１００の第１の駆動台１０は、パレット６０を第２のレール部の進行方向の始端部に対応する高さ位置にまで上昇移動した位置で該パレット６０をパレット１つ分だけ水平方向の前記一進行方向に押し出して移動させた後は、第１のレール部の進行方向の終端部に対応する高さ位置にまで下降移動する。
【００６６】
第２の駆動部２００の第２の駆動台１０は、パレット６０を第１のレール部の進行方向の終端部に対応する高さ位置にまで下降移動した位置で該パレット６０をパレット１つ分だけ水平方向の前記一進行方向とは反対の進行方向に押し出して移動させた後は、第２のレール部の進行方向の終端部に対応する高さ位置にまで上昇移動する。
【００６７】
第１の駆動部１００の第１の駆動台１０の上昇下降動作(即ち昇降動作)と前記第２の駆動部２００の第２の駆動台１０の上昇下降動作とは対応して同期的に行われ、また第１の駆動部１００の第１の駆動台１０におけるパレット６０の引き出し動作及び押し出し動作(即ち引き出し／押し出し動作)の各動作に対応して、第２の駆動部２００の第２の駆動台１０におけるパレット６０の押し出し動作及び引き出し動作が同期的に行われる。
【００６８】
第１の駆動部１００の第１の駆動台１０は、前記パレット６０を第１の駆動空間で昇降動作させる第１の駆動源２１としての第１のモータと、パレット６０を第１の駆動空間で引き出し動作及び押し出し動作させる第２の駆動源３１としての第２のモータとを備える。
【００６９】
第２の駆動部２００の第２の駆動台１０は、前記パレット６０を第２の駆動空間で昇降動作させる第３の駆動源２１(図示略)としての第３のモータと、パレット６０を第２の駆動空間で押し出し動作及び引き出し動作させる第４の駆動源３１(図示略)としての第４のモータとを備える。
【００７０】
第１の駆動部１００の第１の駆動台１０における押し出し動作は、第１の駆動台１０の第２の駆動源３１に連接して設けられた当接板３３が、押し出し予定のパレット６０の当接側端部に当接して該当接側端部を押し出すことによって行われる。
【００７１】
第１の駆動部１００の第１の駆動台１０における引き出し動作は、第１の駆動台１０の第２の駆動源３１に連接して設けられた当接板３３の付近に形成した爪状の係合片(図示略)が、引き出し予定のパレットの前記当接側端部の一部に係合することによって行われる。
【００７２】
同様に、第２の駆動部２００の第２の駆動台１０における前記押し出し動作は、第２の駆動台１０の第４の駆動源３１に連接して設けられた当接板３３が、押し出し予定のパレットの当接側端部に当接して該当接側端部を押し出すことによって行われる。
【００７３】
第２の駆動部２００の第２の駆動台１０における前記引き出し動作は、第２の駆動台１０の第４の駆動源３１に連接して設けられた当接板３３の付近に形成した爪状の係合片(図示略)が、引き出し予定のパレットの当接側端部の一部に係合することによって行われる。
【００７４】
上述した循環移動における植物苗の生育期間においては、植物の光合成に必要な太陽光を充分に与えることが必要であったり、生育に必要な栄養素としての栽培養液の散布が必要となる。
【００７５】
そこで、栽培養液の散布のために、図１の植物栽培装置１の少なくとも上段部の複数(図では７本)の枠体７０の７本の梁７２のうちの進行方向の例えば最初と最後の梁７２、或いはどちらか一方の梁７２に多数の散水孔を有する散水用パイプを用いて栽培養液を散布する散水機構９０を設けた構成としている。
【００７６】
図１２は本発明の一実施形態の植物栽培装置１における栽培養液の散布を行う散水機構９０の構成の一例を示している。
【００７７】
図１２において、散水機構９０は、水位限定機能を備えた散水用多孔パイプ９１と、この多孔パイプ９１の前段に配置されて、水源としての給水部(図示略)からの供給水(例えば地下水に液体肥料を混合した栽培養液)を一旦受け止めてから多孔パイプ９１に供給するバッファ用パイプ９２と、給水部(図示略)からの栽培養液９４の供給を散水時にのみ流通し、それ以外の時には遮断するバルブ９３と、を備えている。栽培養液９４はバルブ９３を通り、一旦大容量のバッファ用パイプ９２に入ってから、基準水位９５を超えた養液量のみが多孔パイプ９１内に所定の間隔に設けられた水位保持機能を備えた複数の滴下パイプ９１ａを通して滴下孔９１ｂから散水される。
【００７８】
このような散水機構９０によれば、例えば二段式植物栽培装置１における循環サイクルごとに栽培養液９４の散布が実施される場合、各回ごとにパレット単位で一定範囲に一定量の栽培養液９４をほぼ均等に散水することができる。
【００７９】
以下に、図１５Ａ〜図１５Ｎを参照して、種子を収容した植物栽培容器(即ち播種済み容器)８０を植物栽培装置１内の空パレット６０に積み込んだ播種済み容器搭載パレット６０を、遮光可能な下段側の搬送路(下段側搬送用レール部７３，７４)へ搬入し、順次に水平方向に搬送する搬送動作、及び発芽期間が過ぎて太陽光又は人工光で苗に育生するために第２の駆動部２００を駆動して、発芽後の苗を収容したパレット６０を遮光手段４０の外部に出し、下段側のパレット列を上段側の搬送路(上段側搬送用レール部７５，７６)へ循環移動させる動作の一例について説明する。
【００８０】
図１５Ａ〜図１５Ｎで各動作を説明する前に、これらの図２おいて使用する表記について図１３及び図１４を参照して説明する。
【００８１】
図１３はパレット引き出し／押し出し機構のパレット引き出し後または押し出し前の状態の簡略的な表記(図６に対応した表記)を示し、図１４はパレット引き出し／押し出し機構のパレット引き出し前または押し出し後の状態の簡略的な表記(図７に対応した表記)示している。
【００８２】
図１５Ａ乃至図１５Ｋは本発明の一実施形態の二段式の植物栽培装置における、空パレットへの播種済み栽培容器の積み込み搬送工程の一例を説明する説明図である。なお、図１５Ａ乃至図１５Ｋでは、下段部側の栽培空間に対する遮光手段４０の記載を省略してある。
【００８３】
図１５Ａでは、上下段部とも空パレット６０が並んだ状態となっている。まず、作業者が下段部(一段目)の空パレット６０に植物の種子(例えばえんどう豆の種子)８４が播種された植物栽培容器８０を所定数分だけ積み込んだ後(斜線部分は播種済み容器を積み込んだことを示している)、作業者が図示しない積み込み用操作ボタンを押したとすると、図示しない制御装置は以下の図１５Ｂ〜図１５Ｄの工程を経て、図１５Ｅの工程へ移行する。
【００８４】
図１５Ｅでは、作業者は、別の所定数の植物栽培容器８０を空パレット６０に積み込む(斜線部分は積み込み済みを示す)。そして、作業者が再び図示しない積み込み用操作ボタンを押したとすると、図示しない制御装置は以下の図１５Ｆ〜図１５Ｈの工程を経て、図１５Ｉの工程へ移行する。以下同様の複数の工程を経て図１５Ｊの工程に至る。
【００８５】
このようにして、図１５Ｊの工程では、下段部の植物棚としての搬送路には、所定数の空パレット全てに播種済み容器搭載パレットＡ〜Ｈが収容された状態で配列されることになる。このとき、上段部側の搬送路上のパレットは全て空パレットのままの状態にある。
【００８６】
この図１５Ｊにおける下段側搬送路の播種済み容器搭載パレットＡ〜Ｈが一列状に配列された状態で、搬送動作を停止させて、所定の期間(例えば豆苗の栽培では１週間位)は種子(例えばえんどう豆の種子)８４の発芽を待つことになる。
【００８７】
そして、上記の発芽の所定の期間が経過したときに、作業者は図１５Ｊにおける図示しない遮光手段の一部を開放して、第１の駆動部１００の駆動台１０の新たな空パレット６０に新たな播種済み栽培容器(この播種済み容器搭載パレットをＩとしている)を積み込む(図１５Ｋ参照)。図１５Ｋでは、播種済み容器搭載パレットＡ〜Ｈが苗入り容器搭載パレットＡ〜Ｈとなっているため、発芽後の苗入り容器搭載パレットＡ〜Ｈにはクロスハッチングを付すことによって、発芽前のパレットとは区別できるようにしている。その後に、操作ボタン(図示略)を押すことによって、第１の駆動部１００の駆動台１０が隣接する下段側搬送路上の苗入り容器搭載パレット６０(＝パレットＨ)を１パレット分押し出すタイミングで、第２の駆動部２００の駆動台１０が隣接する終端の苗入り容器搭載パレット６０(＝パレットＡ)を引き出すことによって、図１５Ｌに示す状態となる。
【００８８】
以上の動作を繰り返すことによって、図１５Ｍの中間経過を経て、図１５Ｎに示すように苗入り容器搭載パレットＡ〜Ｈは全て太陽光又は人工光が当たる上段部側の搬送路(７３，７４)に配列される。このとき、図示しない遮光手段４０にて常に暗室状態にされている下段部側の搬送路(７５，７６)には、新たな播種済み容器搭載パレットＩ〜Ｐが配列されることになる。
【００８９】
図１５Ｎの状態で所定の期間(豆苗の場合は１週間位)育生した後に、作業者は第１の駆動空間に１つだけ有る空きパレット６０に新たな播種済み栽培容器を配置して、再び操作ボタンを押すことによって、上段部側の生育した苗入り容器搭載パレットＡが自動的に第１の駆動部１００の駆動区間の下段部側の位置に下降して容易に収穫することが可能となる。収穫した後の空パレットには、別の新たな播種済み栽培容器を配置して前記と同様に下段部側搬送路に搬入するといった動作を繰り返せば、生育した苗入り容器搭載パレットＡ〜Ｈから光合成で生育した新鮮な植物の苗を収穫することができる。
【００９０】
図１６Ａ及び図１６Ｂは本発明の他の実施形態の四段式の植物栽培装置及び動作を概略的に説明する説明図である。
【００９１】
図１６Ａ及び図１６Ｂにおいて、植物栽培装置１Ａは、四段の植物栽培棚の各段を水平移動可能な複数のパレットの連続的な配列で構成するが、四段のうちの下段側の最下段(第１段目)と第２段目を遮光手段４０にて囲んで外光から遮断可能であって、暗室状態で使用可能である。従って、種子を発芽させて苗に育てるまでの期間に種子を生育させるのに好適である。
【００９２】
四段のうちの上段側の第３段目と最上段(第４段目)は前記遮光手段４０の外部に構成される部分であって、暗室で発芽後の苗を太陽光や人工光を当てて光合成を行わせ生育させる環境を与えるのに好適である。
【００９３】
下段側の最下段(第１段目)の搬送路を形成するパレット列を(1)とし、第２段目の搬送路を形成するパレット列を(2)とし、第３段目の搬送路を形成するパレット列を(3)とし、最上段(第４段目)の搬送路を形成するパレット列を(4)とする。遮光手段４０で囲まれた暗室内のパレット列(1)及び(2)に播種済み栽培容器を順次に積み込んで、２点鎖線の矢印のようにパレット単位で順次に搬送移動し、パレット列Ａ〜Ｐを静止し、その状態で発芽のための所定期間が経過すると、次に最下段(第１段目)の発芽後の苗入りパレット列(1)(Ｉ〜Ｐ)と最上段(第４段目)の〜パレット間でパレット列(4)をパレット単位で搬送移動することで、パレット列(1)とパレット列(4)間で入れ替えを行う。その後に、第３段目のパレット列(3)と第４段目のパレット列(4)との間で循環移動(２点鎖線の矢印)を行わせることにより、パレット列(3)と(4)とが上段部側で所定の時間間隔で太陽光が照射され、光合成による生育を促す効果を得ることができる。
【００９４】
このような構成では、暗室が下段部側で隣接する上下の二段分用意できるので、下段部側で同時に発芽される苗の個数を倍増することができる。そして、その苗を上段側に搬送して太陽光や人工光の照射によって光合成を行って育生し、製品として出荷することが可能となる。
【００９５】
以上の本発明の一実施形態では、第１の駆動部から播種済み栽培容器の積み込みを行う場合について説明しているが、本発明の実施形態に係る植物栽培装置では搬送部のレール部は水平に敷かれており第１の駆動部及び第２の駆動部とも同一の機能を持たせることが可能であり、第１の駆動部側からの播種済み栽培容器の積み込みだけでなく搬送部の反対側にある第２の駆動部側からの積み込みを同様に行うことが可能である。従って、１つの搬送部を第１及び第２の駆動部のどちら側からでも行うことができるので、植物栽培装置１の設置状況や作業環境に応じてどらか一方の駆動部側から積み込みを行え、汎用性を備えた植物栽培装置を実現することが可能となる。
【００９６】
以上述べた本発明の一実施形態の植物栽培装置によれば、植物育生等の作業をきわめて簡易に行うことができ、少ない敷地面積で栽培面積を増やし、植物を積載したパレットを水平方向に移動でき、全体構成がシンプルな構造であり、しかも芽物野菜のような植物栽培において、発芽した苗を暗室から光の当たる別の場所へ運んで移動させることなく、遮光と光照射とを自由に選択して植物を生育させ、植物栽培の生産性を向上することが可能となる。
【００９７】
本発明の一実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９８】
１…植物栽培装置、１０…駆動台、１１…支持台、１２…レール部、１３…接合プレート、１４…スライド板、２１…第１の駆動源、２２…支持体、２３…ボールねじ、２４…ガイド、２５…スライドテーブル、２５ａ…スライド用係合部、３１…第２の駆動源、３２…ストローク部材、３３…当接板、４０…遮光手段、５０…枠体、５１…枠体の梁、６０…パレット、６１…パレット本体、６２…車輪、７０…枠体、７１…柱、７２…梁、７３，７４…下段部(一段目)のレール部、７５，７６…上段部(二段目)のレール部、８０…植物栽培容器、８４…苗、９０…散水機構、９１…散水用多孔パイプ、９１ａ…滴下パイプ、９１ｂ…滴下孔、９２…バッファ用パイプ、９３…バルブ、９４…栽培養液、９５…基準水位、１００…第１の駆動部、２００…第２の駆動部、３００…搬送部。
【図１】
2015037383.tif 000003
【図２】
2015037383.tif 000004
【図３】
2015037383.tif 000005
【図４】
2015037383.tif 000006
【図５】
2015037383.tif 000007
【図６】
2015037383.tif 000008
【図７】
2015037383.tif 000009
【図８Ａ】
2015037383.tif 000010
【図８Ｂ】
2015037383.tif 000011
【図８Ｃ】
2015037383.tif 000012
【図９】
2015037383.tif 000013
【図１０】
2015037383.tif 000014
【図１１】
2015037383.tif 000015
【図１２】
2015037383.tif 000016
【図１３】
2015037383.tif 000017
【図１４】
2015037383.tif 000018
【図１５Ａ】
2015037383.tif 000019
【図１５Ｂ】
2015037383.tif 000020
【図１５Ｃ】
2015037383.tif 000021
【図１５Ｄ】
2015037383.tif 000022
【図１５Ｅ】
2015037383.tif 000023
【図１５Ｆ】
2015037383.tif 000024
【図１５Ｇ】
2015037383.tif 000025
【図１５Ｈ】
2015037383.tif 000026
【図１５Ｉ】
2015037383.tif 000027
【図１５Ｊ】
2015037383.tif 000028
【図１５Ｋ】
2015037383.tif 000029
【図１５Ｌ】
2015037383.tif 000030
【図１５Ｍ】
2015037383.tif 000031
【図１５Ｎ】
2015037383.tif 000032
【図１６Ａ】
2015037383.tif 000033
【図１６Ｂ】
2015037383.tif 000034
【手続補正書】
【提出日】平成25年12月2日(2013.12.2)
【手続補正１】
【補正対象書類名】明細書
【補正対象項目名】００１３
【補正方法】削除
【補正の内容】
【手続補正２】
【補正対象書類名】明細書
【補正対象項目名】００１４
【補正方法】変更
【補正の内容】
【００１４】
本発明の一態様の植物栽培装置は、多段の植物栽培棚を上段側と下段側で構成し、前記上段側はさらに上段部及び下段部の少なくとも二段に構成し、該二段の前記上段部は植物の苗を育成するための少なくとも１つの植物栽培容器を収容したパレットを水平方向の一進行方向に所定数連続的に並べた状態で移動可能とし、前記下段部は前記パレットを水平方向の前記一進行方向とは反対方向に所定数連続的に並べた状態で移動可能とし、前記上段部及び前記下段部間でパレット単位で循環移動させて前記二段を上下入れ替え可能に構成し、前記下段側は少なくとも一段に構成し、植物の種子を発芽させるための少なくとも１つの植物栽培容器を収容したパレットを水平方向の一進行方向に所定数連続的に並べた状態で移動可能とし、発芽後はパレット単位で前記上段側に移動させるように構成した植物栽培装置であって、前記上段側の前記下段部に構成され、前記少なくとも１つの植物栽培容器を収容可能で、かつ左右両側に移動用の車輪を備えた前記所定数のパレットを水平方向の一進行方向に順次に連続的に移動可能とする下段部搬送路としての第１のレール部と、前記上段側の前記上段部に構成され、前記所定数のパレットを前記水平方向の一進行方向とは反対の進行方向に順次に連続的に移動可能とする上段部搬送路としての第２のレール部と、前記下段側の一段部に構成され、前記所定数のパレットを水平方向の一進行方向に順次に連続的に移動可能とする下段側搬送路としての第３のレール部と、前記下段部の前記第１のレール部の進行方向の終端部と前記上段部の前記第２のレール部の進行方向の始端部との間で前記パレットを搬送可能に設けられ、前記パレットを収容して前記上下段部間を昇降移動させる動作を行い、前記第３のレール部に前記所定数のパレットを収容して前記上段側に移動させる動作を行うと共に前記上下段部及び前記下段側の各段部の位置にて前記パレットを引き出しまたは押し出しする動作を行う第１の駆動台を備えた第１の駆動部と、前記上段部の前記第２のレール部の進行方向の終端部と前記下段部の前記第１のレール部の進行方向の始端部との間で前記パレットを搬送可能に設けられ、前記パレットを収容して前記上下段部間を昇降移動させる動作を行い、前記第３のレール部に前記所定数のパレットを収容して前記上段側に移動させる動作を行うと共に前記上下段部及び前記下段側の各段部の位置にて前記パレットを引き出しまたは押し出しする動作を行う第２の駆動台を備えた第２の駆動部と、前記下段側の前記第３のレール部に配置される前記所定数のパレットに積み込む植物栽培容器内に播かれた種子を発芽させるために、常時、前記植物栽培容器が配置された前記下段側の内部空間を外部と遮断する遮光手段と、を具備し、前記下段側の遮光された内部空間内で、前記植物栽培容器内に播かれた種子を発芽させ、その後は、前記第１及び第２の駆動部を動作させて前記発芽した苗の前記植物栽培容器を収容したパレットを光合成のために光の当たる前記上段側に移動させ、該パレットを循環移動させるように構成した。
【手続補正３】
【補正対象書類名】明細書
【補正対象項目名】００１５
【補正方法】削除
【補正の内容】
【手続補正４】
【補正対象書類名】明細書
【補正対象項目名】００９３
【補正方法】変更
【補正の内容】
【００９３】
下段側の最下段(第１段目)の搬送路を形成するパレット列を(1)とし、第２段目の搬送路を形成するパレット列を(2)とし、第３段目の搬送路を形成するパレット列を(3)とし、最上段(第４段目)の搬送路を形成するパレット列を(4)とする。遮光手段４０で囲まれた暗室内のパレット列(1)及び(2)に播種済み栽培容器を順次に積み込んで、２点鎖線の矢印のようにパレット単位で順次に搬送移動し、パレット列Ａ〜Ｐを静止し、その状態で発芽のための所定期間が経過すると、次に最下段(第１段目)の発芽後の苗入りパレット列(1)(Ｉ〜Ｐ)と最上段(第４段目)の空パレットのパレット列(4)をパレット単位で搬送移動することで、パレット列(1)とパレット列(4)間で入れ替えを行う。同様にして、第２段目の発芽後の苗入りパレット列(2)と第３段目の空パレットのパレット列(3)間で入れ替えを行う。以上の下段側のパレット列(1)，(2)と上段側のパレット列(3)，(4)との入れ替えを行った状態を図１６Ｂに示す。図１６Ｂでは、パレット列(1)，(2)が上段側に移動し、パレット列(3)，(4)が下段側に移動した状態を示している。その後に、第３段目に入った発芽後の苗入りのパレット列(2)と最上段(第４段目)に入った発芽後の苗入りのパレット列(1)との間で循環移動(２点鎖線の矢印)を行わせることにより、発芽後の苗入りのパレット列(1)と(2)とが上段側で所定の時間間隔で太陽光が照射され、光合成による生育を促す効果を得ることができる。
【手続補正５】
【補正対象書類名】明細書
【補正対象項目名】００９４
【補正方法】変更
【補正の内容】
【００９４】
このような構成では、暗室が下段側で隣接する上下の二段分用意できるので、下段側で同時に発芽される苗の個数を倍増することができる。そして、その苗を上段側に搬送して太陽光や人工光の照射によって光合成を行って育生し、製品として出荷することが可能となる。
【手続補正６】
【補正対象書類名】特許請求の範囲
【補正対象項目名】全文
【補正方法】変更
【補正の内容】
【特許請求の範囲】
【請求項１】
多段の植物栽培棚を上段側と下段側で構成し、
前記上段側はさらに上段部及び下段部の少なくとも二段に構成し、該二段の前記上段部は植物の苗を育成するための少なくとも１つの植物栽培容器を収容したパレットを水平方向の一進行方向に所定数連続的に並べた状態で移動可能とし、前記下段部は前記パレットを水平方向の前記一進行方向とは反対方向に所定数連続的に並べた状態で移動可能とし、前記上段部及び前記下段部間でパレット単位で循環移動させて前記二段を上下入れ替え可能に構成し、
前記下段側は少なくとも一段に構成し、植物の種子を発芽させるための少なくとも１つの植物栽培容器を収容したパレットを水平方向の一進行方向に所定数連続的に並べた状態で移動可能とし、発芽後はパレット単位で前記上段側に移動させるように構成した植物栽培装置であって、
前記上段側の前記下段部に構成され、前記少なくとも１つの植物栽培容器を収容可能で、かつ左右両側に移動用の車輪を備えた前記所定数のパレットを水平方向の一進行方向に順次に連続的に移動可能とする下段部搬送路としての第１のレール部と、
前記上段側の前記上段部に構成され、前記所定数のパレットを前記水平方向の一進行方向とは反対の進行方向に順次に連続的に移動可能とする上段部搬送路としての第２のレール部と、
前記下段側の一段部に構成され、前記所定数のパレットを水平方向の一進行方向に順次に連続的に移動可能とする下段側搬送路としての第３のレール部と、
前記下段部の前記第１のレール部の進行方向の終端部と前記上段部の前記第２のレール部の進行方向の始端部との間で前記パレットを搬送可能に設けられ、前記パレットを収容して前記上下段部間を昇降移動させる動作を行い、前記第３のレール部に前記所定数のパレットを収容して前記上段側に移動させる動作を行うと共に前記上下段部及び前記下段側の各段部の位置にて前記パレットを引き出しまたは押し出しする動作を行う第１の駆動台を備えた第１の駆動部と、
前記上段部の前記第２のレール部の進行方向の終端部と前記下段部の前記第１のレール部の進行方向の始端部との間で前記パレットを搬送可能に設けられ、前記パレットを収容して前記上下段部間を昇降移動させる動作を行い、前記第３のレール部に前記所定数のパレットを収容して前記上段側に移動させる動作を行うと共に前記上下段部及び前記下段側の各段部の位置にて前記パレットを引き出しまたは押し出しする動作を行う第２の駆動台を備えた第２の駆動部と、
前記下段側の前記第３のレール部に配置される前記所定数のパレットに積み込む植物栽培容器内に播かれた種子を発芽させるために、常時、前記植物栽培容器が配置された前記下段側の内部空間を外部と遮断する遮光手段と、を具備し、
前記下段側の遮光された内部空間内で、前記植物栽培容器内に播かれた種子を発芽させ、その後は、前記第１及び第２の駆動部を動作させて前記発芽した苗の前記植物栽培容器を収容したパレットを光合成のために光の当たる前記上段側に移動させ、該パレットを循環移動させるように構成したことを特徴とする植物栽培装置。
【請求項２】
前記第１の駆動部における昇降動作及び引き出し／押し出し動作と、前記第２の駆動部における昇降動作及び引き出し／押し出し動作とのタイミングを制御する制御部を
さらに具備したことを特徴とする請求項１に記載の植物栽培装置。
【手続補正７】
【補正対象書類名】図面
【補正対象項目名】図１６Ｂ
【補正方法】変更
【補正の内容】
【図１６Ｂ】
2015037383.tif 000035